(57)【特許請求の範囲】
【請求項１】
画像記録装置と読取装置とを備える複写システムであって、
前記画像記録装置は、
画像をシートに記録する記録部と、
他の装置と通信する記録装置通信部と、
前記画像記録装置を制御する記録装置制御部と、を備え、
前記読取装置は、
原稿を読み取る読取部と、
他の装置と通信する読取装置通信部と、
前記読取装置を制御する読取装置制御部と、を備え、
前記記録装置制御部は、
前記記録装置通信部を特定する通信情報を示す特定のコードを前記記録部に記録させるコード記録処理と、
前記記録装置通信部を介して、画像データを受信する受信処理と、
前記受信処理において受信された前記画像データを用いて前記記録部に画像を記録させる画像記録処理と、を実行し、
前記読取装置制御部は、
前記読取部に原稿を読み取らせて画像データを生成する読取処理と、
前記読取処理において生成された前記画像データを解析して、前記画像データに特定のコードが含まれるか否かを、前記原稿の頁単位で判断するコード有無判断処理と、を実行し、
前記コード有無判断処理において前記画像データに特定のコードが含まれると判断された場合に、前記読取装置制御部は、
前記特定のコードが示す前記通信情報を取得する情報取得処理と、
前記原稿の内、前記読取処理において前記特定のコードが含まれる頁より後に読み取られた頁の少なくとも一部について、前記読取処理において生成された前記画像データを、前記通信情報により特定される通信先へ、前記読取装置通信部を介して送信する送信処理と、を実行し、
前記画像記録装置は、さらに、記録装置記憶部を備え、
前記記録装置制御部は、
第１の識別情報を前記記録装置記憶部に記憶させる識別情報記憶処理を実行し、
前記コード記録処理において、前記通信情報に加えて前記第１の識別情報を示す前記特定のコードを前記記録部に記録させ、
前記受信処理において、前記画像データに加えて前記第１の識別情報を受信し、
前記受信処理において受信された前記第１の識別情報と前記記録装置記憶部に記憶された前記第１の識別情報とが一致するか否かを判断する第１の合致判断処理を実行し、
前記第１の合致判断処理において各前記第１の識別情報が一致すると判断された場合に、前記画像記録処理を実行し、
前記読取装置制御部は、
前記情報取得処理において、前記通信情報に加えて、前記第１の識別情報を取得し、
前記送信処理において、前記画像データに加えて、前記第１の識別情報を送信し、
前記記録装置通信部は、少なくとも第１の通信方式で通信可能であり、
前記記録装置制御部は、
前記コード記録処理において、前記記録装置通信部における前記第１の通信方式に関する前記通信情報を示す前記特定のコードを前記記録部に記録させ、
前記記録装置通信部を前記第１の通信方式で少なくとも前記通信情報による通信が可能な状態に設定する第１の通信設定処理と、
前記第１の合致判断処理において各前記第１の識別情報が一致すると判断された場合に、前記記録装置通信部を前記第１の通信方式で少なくとも前記通信情報による通信が不可能な状態に設定する第２の通信設定処理と、を実行する、複写システム。
【請求項２】
請求項１に記載の複写システムであって、
前記記録装置制御部は、
前記第１の合致判断処理において各前記第１の識別情報が一致すると判断された場合に、前記記録装置記憶部から前記第１の識別情報を削除する識別情報削除処理を実行する、複写システム。
【請求項３】
請求項１または請求項２に記載の複写システムであって、
前記画像記録装置は、さらに、記録装置操作部を備え、
前記記録装置通信部は、前記第１の通信方式と、前記第１の通信方式とは異なる第２の通信方式とで通信可能であり、
前記記録装置制御部は、
前記記録装置操作部からの入力を受信したことに応じて前記記録装置通信部による前記第２の通信方式での通信の可否を設定する第３の通信設定処理を実行する、複写システム。
【請求項４】
請求項１から請求項３までのいずれか一項に記載の複写システムであって、
前記記録装置制御部は、
前記第１の合致判断処理において各前記第１の識別情報が一致すると判断された場合、または、前記第１の通信設定処理の完了から所定時間が経過した場合に、前記第２の通信設定処理を実行する、複写システム。
【請求項５】
画像記録装置と読取装置とを備える複写システムであって、
前記画像記録装置は、
画像をシートに記録する記録部と、
他の装置と通信する記録装置通信部と、
前記画像記録装置を制御する記録装置制御部と、を備え、
前記読取装置は、
原稿を読み取る読取部と、
他の装置と通信する読取装置通信部と、
前記読取装置を制御する読取装置制御部と、を備え、
前記記録装置制御部は、
前記記録装置通信部を特定する通信情報を示す特定のコードを前記記録部に記録させるコード記録処理と、
前記記録装置通信部を介して、画像データを受信する受信処理と、
前記受信処理において受信された前記画像データを用いて前記記録部に画像を記録させる画像記録処理と、を実行し、
前記読取装置制御部は、
前記読取部に原稿を読み取らせて画像データを生成する読取処理と、
前記読取処理において生成された前記画像データを解析して、前記画像データに特定のコードが含まれるか否かを、前記原稿の頁単位で判断するコード有無判断処理と、を実行し、
前記コード有無判断処理において前記画像データに特定のコードが含まれると判断された場合に、前記読取装置制御部は、
前記特定のコードが示す前記通信情報を取得する情報取得処理と、
前記原稿の内、前記読取処理において前記特定のコードが含まれる頁より後に読み取られた頁の少なくとも一部について、前記読取処理において生成された前記画像データを、前記通信情報により特定される通信先へ、前記読取装置通信部を介して送信する送信処理と、を実行し、
前記読取装置は、さらに、読取装置記憶部を備え、
前記読取装置制御部は、
前記情報取得処理において取得された前記通信情報を前記読取装置記憶部に記憶させる通信情報記憶処理と、
前記送信処理の後に、前記読取装置記憶部から前記通信情報を削除する通信情報削除処理と、を実行する、複写システム。
【請求項６】
画像記録装置と読取装置とを備える複写システムであって、
前記画像記録装置は、
画像をシートに記録する記録部と、
他の装置と通信する記録装置通信部と、
前記画像記録装置を制御する記録装置制御部と、を備え、
前記読取装置は、
原稿を読み取る読取部と、
他の装置と通信する読取装置通信部と、
前記読取装置を制御する読取装置制御部と、を備え、
前記記録装置制御部は、
前記記録装置通信部を特定する通信情報を示す特定のコードを前記記録部に記録させるコード記録処理と、
前記記録装置通信部を介して、画像データを受信する受信処理と、
前記受信処理において受信された前記画像データを用いて前記記録部に画像を記録させる画像記録処理と、を実行し、
前記読取装置制御部は、
前記読取部に原稿を読み取らせて画像データを生成する読取処理と、
前記読取処理において生成された前記画像データを解析して、前記画像データに特定のコードが含まれるか否かを、前記原稿の頁単位で判断するコード有無判断処理と、を実行し、
前記コード有無判断処理において前記画像データに特定のコードが含まれると判断された場合に、前記読取装置制御部は、
前記特定のコードが示す前記通信情報を取得する情報取得処理と、
前記原稿の内、前記読取処理において前記特定のコードが含まれる頁より後に読み取られた頁の少なくとも一部について、前記読取処理において生成された前記画像データを、前記通信情報により特定される通信先へ、前記読取装置通信部を介して送信する送信処理と、を実行し、
前記記録装置制御部は、
前記コード記録処理において、前記通信情報に加えて第２の識別情報を示す前記特定のコードを前記記録部に記録させ、
前記読取装置制御部は、
前記コード有無判断処理において前記画像データに特定のコードが含まれると判断された場合に、前記特定のコードに前記第２の識別情報が含まれるか否かを判断する識別情報判断処理を実行し、
前記識別情報判断処理において前記特定のコードに前記第２の識別情報が含まれると判断された場合に、前記情報取得処理を実行する、複写システム。
【請求項７】
画像記録装置と読取装置とを備える複写システムであって、
前記画像記録装置は、
画像をシートに記録する記録部と、
他の装置と通信する記録装置通信部と、
前記画像記録装置を制御する記録装置制御部と、を備え、
前記読取装置は、
原稿を読み取る読取部と、
他の装置と通信する読取装置通信部と、
前記読取装置を制御する読取装置制御部と、を備え、
前記記録装置制御部は、
前記記録装置通信部を特定する通信情報を示す特定のコードを前記記録部に記録させるコード記録処理と、
前記記録装置通信部を介して、画像データを受信する受信処理と、
前記受信処理において受信された前記画像データを用いて前記記録部に画像を記録させる画像記録処理と、を実行し、
前記読取装置制御部は、
前記読取部に原稿を読み取らせて画像データを生成する読取処理と、
前記読取処理において生成された前記画像データを解析して、前記画像データに特定のコードが含まれるか否かを、前記原稿の頁単位で判断するコード有無判断処理と、を実行し、
前記コード有無判断処理において前記画像データに特定のコードが含まれると判断された場合に、前記読取装置制御部は、
前記特定のコードが示す前記通信情報を取得する情報取得処理と、
前記原稿の内、前記読取処理において前記特定のコードが含まれる頁より後に読み取られた頁の少なくとも一部について、前記読取処理において生成された前記画像データを、前記通信情報により特定される通信先へ、前記読取装置通信部を介して送信する送信処理と、を実行し、
前記読取装置制御部は、
前記コード有無判断処理において前記画像データに特定のコードが含まれると判断された場合に、前記特定のコードに含まれる情報が特定の形式に合致するか否かを判断する取得情報判断処理を実行し、
前記取得情報判断処理において前記特定のコードに含まれる情報が前記特定の形式に合致すると判断された場合に、前記情報取得処理を実行する、複写システム。
【請求項８】
画像記録装置と読取装置とを備える複写システムであって、
前記画像記録装置は、
画像をシートに記録する記録部と、
他の装置と通信する記録装置通信部と、
前記画像記録装置を制御する記録装置制御部と、を備え、
前記読取装置は、
原稿を読み取る読取部と、
他の装置と通信する読取装置通信部と、
前記読取装置を制御する読取装置制御部と、を備え、
前記記録装置制御部は、
前記記録装置通信部を特定する通信情報を示す特定のコードを前記記録部に記録させるコード記録処理と、
前記記録装置通信部を介して、画像データを受信する受信処理と、
前記受信処理において受信された前記画像データを用いて前記記録部に画像を記録させる画像記録処理と、を実行し、
前記読取装置制御部は、
前記読取部に原稿を読み取らせて画像データを生成する読取処理と、
前記読取処理において生成された前記画像データを解析して、前記画像データに特定のコードが含まれるか否かを、前記原稿の頁単位で判断するコード有無判断処理と、を実行し、
前記コード有無判断処理において前記画像データに特定のコードが含まれると判断された場合に、前記読取装置制御部は、
前記特定のコードが示す前記通信情報を取得する情報取得処理と、
前記原稿の内、前記読取処理において前記特定のコードが含まれる頁より後に読み取られた頁の少なくとも一部について、前記読取処理において生成された前記画像データを、前記通信情報により特定される通信先へ、前記読取装置通信部を介して送信する送信処理と、を実行し、
前記記録装置制御部は、
前記コード記録処理において、前記通信情報に加えて前記読取装置と前記画像記録装置とにおいて実行される複写処理に係る設定を示す複写設定情報を示す前記特定のコードを前記記録部に記録させ、
前記読取装置制御部は、
前記情報取得処理において、前記通信情報に加えて、前記複写設定情報を取得し、
前記読取処理において、前記複写設定情報を充足する読取設定で、前記読取部に、前記原稿の内の前記特定のコードが含まれる頁以外の頁の少なくとも一部を読み取らせる、複写システム。
【請求項９】
画像記録装置と読取装置とを備える複写システムであって、
前記画像記録装置は、
画像をシートに記録する記録部と、
他の装置と通信する記録装置通信部と、
前記画像記録装置を制御する記録装置制御部と、を備え、
前記読取装置は、
原稿を読み取る読取部と、
他の装置と通信する読取装置通信部と、
前記読取装置を制御する読取装置制御部と、を備え、
前記記録装置制御部は、
前記記録装置通信部を特定する通信情報を示す特定のコードを前記記録部に記録させるコード記録処理と、
前記記録装置通信部を介して、画像データを受信する受信処理と、
前記受信処理において受信された前記画像データを用いて前記記録部に画像を記録させる画像記録処理と、を実行し、
前記読取装置制御部は、
前記読取部に原稿を読み取らせて画像データを生成する読取処理と、
前記読取処理において生成された前記画像データを解析して、前記画像データに特定のコードが含まれるか否かを、前記原稿の頁単位で判断するコード有無判断処理と、を実行し、
前記コード有無判断処理において前記画像データに特定のコードが含まれると判断された場合に、前記読取装置制御部は、
前記特定のコードが示す前記通信情報を取得する情報取得処理と、
前記原稿の内、前記読取処理において前記特定のコードが含まれる頁より後に読み取られた頁の少なくとも一部について、前記読取処理において生成された前記画像データを、前記通信情報により特定される通信先へ、前記読取装置通信部を介して送信する送信処理と、を実行し、
前記読取装置は、さらに、原稿を頁単位で順に前記読取部に搬送する原稿搬送部を備え、
前記読取装置制御部は、
前記コード有無判断処理において、前記画像データに特定のコードが含まれると判断すると、前記原稿の内、前記読取処理において前記特定のコードが含まれる頁より後に読み取られた頁については、特定のコードが含まれるか否かの判断を行わない、複写システム。
【請求項１０】
画像記録装置と読取装置とを備える複写システムであって、
前記画像記録装置は、
画像をシートに記録する記録部と、
他の装置と通信する記録装置通信部と、
前記画像記録装置を制御する記録装置制御部と、を備え、
前記読取装置は、
原稿を読み取る読取部と、
他の装置と通信する読取装置通信部と、
前記読取装置を制御する読取装置制御部と、を備え、
前記記録装置制御部は、
前記記録装置通信部を特定する通信情報を示す特定のコードを前記記録部に記録させるコード記録処理と、
前記記録装置通信部を介して、画像データを受信する受信処理と、
前記受信処理において受信された前記画像データを用いて前記記録部に画像を記録させる画像記録処理と、を実行し、
前記読取装置制御部は、
前記読取部に原稿を読み取らせて画像データを生成する読取処理と、
前記読取処理において生成された前記画像データを解析して、前記画像データに特定のコードが含まれるか否かを、前記原稿の頁単位で判断するコード有無判断処理と、を実行し、
前記コード有無判断処理において前記画像データに特定のコードが含まれると判断された場合に、前記読取装置制御部は、
前記特定のコードが示す前記通信情報を取得する情報取得処理と、
前記原稿の内、前記読取処理において前記特定のコードが含まれる頁より後に読み取られた頁の少なくとも一部について、前記読取処理において生成された前記画像データを、前記通信情報により特定される通信先へ、前記読取装置通信部を介して送信する送信処理と、を実行し、
前記読取装置は、さらに、原稿を頁単位で順に前記読取部に搬送する原稿搬送部を備え、
前記読取装置制御部は、
前記コード有無判断処理において、前記原稿の内の最初に前記読取部に搬送される頁を対象に、特定のコードが含まれるか否かの判断を行い、前記原稿の内のその他の頁については、特定のコードが含まれるか否かの判断を行わない、複写システム。
【請求項１１】
画像記録装置と読取装置とを備える複写システムであって、
前記画像記録装置は、
画像をシートに記録する記録部と、
他の装置と通信する記録装置通信部と、
前記画像記録装置を制御する記録装置制御部と、を備え、
前記読取装置は、
原稿を読み取る読取部と、
他の装置と通信する読取装置通信部と、
前記読取装置を制御する読取装置制御部と、を備え、
前記記録装置制御部は、
前記記録装置通信部を特定する通信情報を示す特定のコードを前記記録部に記録させるコード記録処理と、
前記記録装置通信部を介して、画像データを受信する受信処理と、
前記受信処理において受信された前記画像データを用いて前記記録部に画像を記録させる画像記録処理と、を実行し、
前記読取装置制御部は、
前記読取部に原稿を読み取らせて画像データを生成する読取処理と、
前記読取処理において生成された前記画像データを解析して、前記画像データに特定のコードが含まれるか否かを、前記原稿の頁単位で判断するコード有無判断処理と、を実行し、
前記コード有無判断処理において前記画像データに特定のコードが含まれると判断された場合に、前記読取装置制御部は、
前記特定のコードが示す前記通信情報を取得する情報取得処理と、
前記原稿の内、前記読取処理において前記特定のコードが含まれる頁より後に読み取られた頁の少なくとも一部について、前記読取処理において生成された前記画像データを、前記通信情報により特定される通信先へ、前記読取装置通信部を介して送信する送信処理と、を実行し、
前記画像記録装置は、さらに、
記録装置記憶部と
記録装置操作部と、を備え、
前記記録装置制御部は、
第３の識別情報とパスワードとを対応付けて前記記録装置記憶部に記憶させるパスワード記憶処理を実行し、
前記コード記録処理において、前記通信情報に加えて前記記録装置記憶部に記憶させた前記第３の識別情報を示す前記特定のコードを前記記録部に記録させると共に、前記記録装置記憶部に記憶させた前記第３の識別情報に対応付けられた前記パスワードをユーザが識別可能な態様で前記記録部に記録させ、
前記受信処理において、前記画像データに加えて前記第３の識別情報を受信し、
前記受信処理において受信された前記第３の識別情報と前記記録装置記憶部に記憶された前記第３の識別情報とが一致するか否かを判断する第２の合致判断処理を実行し、
前記第２の合致判断処理において各前記第３の識別情報が一致すると判断された場合に、前記受信処理において受信された前記画像データを前記記録装置記憶部に記憶させる画像データ記憶処理を実行し、
前記受信処理において受信された前記第３の識別情報に対応付けられた前記パスワードを示す入力を、前記記録装置操作部より受信したか否かを判断するパスワード判断処理を実行し、
前記パスワード判断処理において前記パスワードを示す入力を受信したと判断した場合に、前記画像記録処理を実行し、
前記読取装置制御部は、  
前記情報取得処理において、前記通信情報に加えて、前記第３の識別情報を取得し、
前記送信処理において、前記画像データに加えて、前記第３の識別情報を送信する、複写システム。
【請求項１２】
請求項１から請求項１１までのいずれか一項に記載の複写システムであって、
前記送信処理と前記受信処理とは、無線通信を介して実行される、複写システム。
【請求項１３】
請求項１２に記載の複写システムであって、
前記通信情報は、Ｗｉ−Ｆｉ  Ｄｉｒｅｃｔ方式の無線通信におけるＳＳＩＤを含む、複写システム。
【請求項１４】
少なくとも第１の通信方式で他の装置と通信する記録装置通信部と記録装置記憶部とを含む画像記録装置と、他の装置と通信する読取装置通信部を含む読取装置と、を用いた複写方法であって、
前記画像記録装置によって、第１の識別情報を前記記録装置記憶部に記憶させる識別情報記憶工程と、
前記画像記録装置によって、前記記録装置通信部を特定する通信情報であって前記記録装置通信部における前記第１の通信方式に関する前記通信情報と、前記第１の識別情報と、を示す特定のコードをシートに記録するコード記録工程と、
前記画像記録装置によって、前記記録装置通信部を介して、画像データと前記第１の識別情報とを受信する受信工程と、
前記画像記録装置によって、前記受信工程において受信された前記第１の識別情報と前記記録装置記憶部に記憶された前記第１の識別情報とが一致するか否かを判断する第１の合致判断工程と、
前記第１の合致判断工程において各前記第１の識別情報が一致すると判断された場合に、前記画像記録装置によって、前記受信工程において受信された前記画像データを用いて画像をシートに記録する画像記録工程と、
前記読取装置によって、原稿を読み取って画像データを生成する読取工程と、
前記読取装置によって、前記読取工程において生成された前記画像データを解析して、前記画像データに特定のコードが含まれるか否かを、前記原稿の頁単位で判断するコード有無判断工程と、
前記読取装置によって、前記コード有無判断工程において前記画像データに特定のコードが含まれると判断された場合に、前記画像データに含まれる前記特定のコードが示す前記通信情報と前記第１の識別情報とを取得する情報取得工程と、
前記読取装置によって、前記コード有無判断工程において前記画像データに特定のコードが含まれると判断された場合に、前記原稿の内、前記読取工程において前記特定のコードが含まれる頁より後に読み取られた頁の少なくとも一部について、前記読取工程において生成された前記画像データと前記第１の識別情報とを、前記通信情報により特定される通信先へ、前記読取装置通信部を介して送信する送信工程と、
前記画像記録装置によって、前記記録装置通信部を前記第１の通信方式で少なくとも前記通信情報による通信が可能な状態に設定する第１の通信設定工程と、
前記第１の合致判断工程において各前記第１の識別情報が一致すると判断された場合に、前記画像記録装置によって、前記記録装置通信部を前記第１の通信方式で少なくとも前記通信情報による通信が不可能な状態に設定する第２の通信設定工程と、を備える、複写方法。
【請求項１５】
原稿を読み取る読取部と、
画像記録装置と通信する読取装置通信部と、
読取装置制御部と、を備え、
前記読取装置制御部は、
前記読取部に原稿を読み取らせて画像データを生成する読取処理と、
前記読取処理において生成された前記画像データを解析して、前記画像データに特定のコードが含まれるか否かを、前記原稿の頁単位で判断するコード有無判断処理と、
前記コード有無判断処理において前記画像データに特定のコードが含まれると判断された場合に、前記画像データに含まれる前記特定のコードが示す通信情報と、自身と前記画像記録装置において実行される複写処理に係る設定項目に対する設定を示す複写設定情報と、を取得する情報取得処理と、
前記複写設定情報から、前記読取処理に係る読取設定を決定する決定処理と、
を実行し、
前記コード有無判断処理において前記画像データに特定のコードが含まれると判断された場合に、前記読取処理において、前記決定処理で決定された読取設定で、前記読取部に、前記原稿の内の前記特定のコードが含まれる頁以外の頁の少なくとも一部を読み取らせ、
前記コード有無判断処理において前記画像データに特定のコードが含まれると判断された場合に、前記原稿の内、前記読取処理において前記特定のコードが含まれる頁より後に読み取られた頁の少なくとも一部について、前記読取処理において生成された前記画像データを、前記通信情報により特定される通信先へ、前記読取装置通信部を介して送信する送信処理を実行する、読取装置。
【請求項１６】
請求項１５に記載の読取装置であって、
前記読取装置制御部は、
前記決定処理において、前記複写設定情報により特定される複写処理に係る設定項目に対する設定を充足する読取設定のうち、最も負荷が低い読取設定を、前記読取設定として決定する、読取装置。
【請求項１７】
画像をシートに記録する記録部と、
読取装置と通信する記録装置通信部と、
記録装置操作部と、
記録装置制御部と、を備え、
前記記録装置制御部は、
前記読取装置と自身とにおいて実行される複写処理に係る複数の設定項目に対する設定を、前記記録装置操作部より受信する複写設定受信処理と、
前記複写設定受信処理において受信した複数の設定項目に対する設定のうち、読取処理における読取設定を決定する際に必要となる設定項目に対する設定を抽出する抽出処理と、
前記記録装置通信部を特定する通信情報と、前記抽出処理において抽出した設定を示す抽出複写設定情報と、を示す特定のコードを前記記録部に記録させるコード記録処理と、
前記記録装置通信部を介して、画像データを受信する受信処理と、
前記受信処理において受信された前記画像データを用いて前記記録部に画像を、前記複写設定情報が示す設定に従い記録させる画像記録処理と、
を実行する、画像記録装置。
【発明の詳細な説明】
【技術分野】
【０００１】
本明細書によって開示される技術は、複写システムに関する。
【背景技術】
【０００２】
互いに通信可能な画像記録装置および読取装置を備える複写システムが知られている（例えば特許文献１参照）。この複写システムでは、読取装置が原稿を読み取って原稿の画像を表す画像データを生成し、生成された画像データを画像記録装置に送信する。画像記録装置は、読取装置から送信された画像データを受信し、受信された画像データを用いて画像を紙等のシートに記録する。これにより、原稿の複写が実現される。
【先行技術文献】
【特許文献】
【０００３】
【特許文献１】特開２０１０−６２７２７号公報
【発明の概要】
【発明が解決しようとする課題】
【０００４】
上述した従来の複写システムで画像データの送信先を設定するためには、ユーザが読取装置の操作部に対して煩雑な操作、例えば予め記憶されている複数の通信先の中から、所望の画像記録装置に対応する通信先を選択する操作や、所望の画像記録装置に対応する通信先が記憶されていない場合に、通信先を入力する操作等を行う必要があった。
【０００５】
本明細書では、上述した課題の少なくとも一部を解決する、使い勝手の良い複写システムを開示する。
【課題を解決するための手段】
【０００６】
本明細書に開示される技術は、例えば、以下の形態として実現することが可能である。
【０００７】
本明細書に開示される複写システムは、画像記録装置と読取装置とを備える複写システムであって、前記画像記録装置は、画像をシートに記録する記録部と、他の装置と通信する記録装置通信部と、前記画像記録装置を制御する記録装置制御部と、を備え、前記読取装置は、原稿を読み取る読取部と、他の装置と通信する読取装置通信部と、前記読取装置を制御する読取装置制御部と、を備え、前記記録装置制御部は、前記記録装置通信部を特定する通信情報を示す特定のコードを前記記録部に記録させるコード記録処理と、前記記録装置通信部を介して、画像データを受信する受信処理と、前記受信処理において受信された前記画像データを用いて前記記録部に画像を記録させる画像記録処理と、を実行し、前記読取装置制御部は、前記読取部に原稿を読み取らせて画像データを生成する読取処理と、前記読取処理において生成された前記画像データを解析して、前記画像データに特定のコードが含まれるか否かを、前記原稿の頁単位で判断するコード有無判断処理と、を実行し、前記コード有無判断処理において前記画像データに特定のコードが含まれると判断された場合に、前記読取装置制御部は、前記特定のコードが示す前記通信情報を取得する情報取得処理と、前記原稿の内、前記読取処理において前記特定のコードが含まれる頁より後に読み取られた頁の少なくとも一部について、前記読取処理において生成された前記画像データを、前記通信情報により特定される通信先へ、前記読取装置通信部を介して送信する送信処理と、を実行する。本複写システムによれば、ユーザが読取装置に対して画像データの送信先を設定するための煩雑な操作を行わなくても、画像記録装置により生成された特定のコードが記録されたシートを読取装置に読み取らせるだけで、読取装置から画像記録装置への画像データの送信が実現され、これにより、原稿の複写処理が実現される。そのため、本複写システムによれば、原稿の複写の際のユーザの使い勝手を向上させることができる。
【０００８】
なお、本明細書に開示される技術は、種々の形態で実現することが可能であり、例えば、画像記録装置と読取装置とを備える複写システム、画像記録装置と読取装置とを用いた複写方法、画像記録装置、読取装置、それらのシステム、装置または方法の機能を実現するためのコンピュータプログラム、そのコンピュータプログラムを記録した一時的でない記録媒体等の形態で実現することが可能である。
【図面の簡単な説明】
【０００９】
【図１】第１実施形態における複写システム１０の構成を示す説明図である。
【図２】プリンタ１００の構成を示す説明図である。
【図３】スキャナ２００の構成を示す説明図である。
【図４】第１実施形態における複写システム１０による複写処理の流れを示すフローチャートである。
【図５】第１実施形態における複写システム１０による複写処理の流れを示すフローチャートである。
【図６】コード記録シートＣＳとオリジナル原稿ＯＤとから構成された読取対象原稿ＲＤの一例を示す説明図である。
【図７】オリジナル原稿ＯＤのみから構成された読取対象原稿ＲＤの一例を示す説明図である。
【図８】プリンタ通信部１６０におけるＷＬＡＮ通信の可否切り替え処理の流れを示すフローチャートである。
【図９】第２実施形態における複写システム１０による複写処理の流れを示すフローチャートである。
【図１０】第２実施形態における複写システム１０による複写処理の流れを示すフローチャートである。
【図１１】第２実施形態におけるコード記録シートＣＳの一例を示す説明図である。
【発明を実施するための形態】
【００１０】
Ａ．第１実施形態：
Ａ−１．複写システム１０の構成：
図１は、第１実施形態における複写システム１０の構成を示す説明図である。複写システム１０は、原稿の複写を行うシステムであり、原稿を読み取って原稿の画像を表す画像データを生成するスキャナ２００と、画像データを用いて紙等のシートに画像を記録するプリンタ１００とを備える。プリンタ１００は、画像記録装置の一例であり、スキャナ２００は読取装置の一例である。
【００１１】
プリンタ１００は、Ｗｉ−Ｆｉ  Ｄｉｒｅｃｔ（Ｗｉ−Ｆｉ  Ａｌｌｉａｎｃｅの登録商標であり、以下「ＷＦＤ」という）に対応している。ＷＦＤは、Ｗｉ−Ｆｉ  Ａｌｌｉａｎｃｅが定める無線通信方式の１つであり、無線ＬＡＮアクセスポイントを用いることなく、機器間で直接、無線ＬＡＮ通信を行うことができる通信方式である。プリンタ１００は、ＷＦＤの設定を、有効と無効との間で切り替えることができる。プリンタ１００においてＷＦＤの設定が有効になっている状態では、スキャナ２００等の他の機器は、プリンタ１００を無線ＬＡＮのアクセスポイントとして認識する。スキャナ２００がプリンタ１００にアクセスすることにより、スキャナ２００とプリンタ１００との間でＷＦＤに則った無線通信が実現される。ＷＦＤは、第１の通信方式の一例である。
【００１２】
なお、図１に示す例では、プリンタ１００は、有線のＬＡＮを介して他の機器（例えばＰＣ２１やＰＣ２２）と通信可能であり、かつ、無線ＬＡＮアクセスポイント３０を用いた通常の無線ＬＡＮ（以下、「ＷＬＡＮ」という）を介して他の機器（例えばＰＣ２３）と通信可能である。
【００１３】
図２は、プリンタ１００の構成を示す説明図である。プリンタ１００は、制御部（以下、後述するスキャナ２００における同種の構成と区別するために「プリンタ制御部」という。他の構成についても同様とする）１１０と、記録部１３０と、プリンタ操作部１４０と、プリンタ表示部１５０と、プリンタ通信部１６０とを備える。プリンタ制御部１１０は、プリンタＣＰＵ１１２と、プリンタ記憶部１１４と、プリンタＡＳＩＣ１１６とを含む。
【００１４】
記録部１３０は、電子写真方式やインクジェット方式により紙等のシートに画像を記録する機構である。プリンタ操作部１４０は、例えば各種のボタン（図示せず）を有し、ユーザによる各種の入力指示を受け付ける。また、プリンタ操作部１４０は、プリンタ表示部１５０の表示面上に設けられたタッチパネルであってもよい。プリンタ表示部１５０は、例えば液晶ディスプレイを有し、各種の設定画面や装置の動作状態等を表示する。プリンタ通信部１６０は、他の機器との通信を行うハードウェアであり、例えば、ＬＡＮインタフェースと無線ＬＡＮインタフェース等を含む。上述したように、プリンタ１００のプリンタ通信部１６０は、ＷＦＤに対応している。プリンタ操作部１４０は記録装置操作部の一例であり、プリンタ通信部１６０は記録装置通信部の一例である。
【００１５】
プリンタ記憶部１１４は、ＲＯＭやＲＡＭ等により構成され、各種のプログラムを記憶したり、各種のプログラムを実行する際の作業領域やデータの一時的な記憶領域として利用されたりする。なお、詳細は後述するが、プリンタ記憶部１１４は、プリンタ１００により、複写処理のために生成・記録されたＱＲコード（デンソーウェーブの登録商標）を、他のＱＲコードと区別するための情報である第２の識別情報と、複写処理の際に用いられる通信情報とを記憶している。プリンタＣＰＵ１１２は、プリンタ記憶部１１４から読み出したプログラムに従って所定の処理を実行する。プリンタＡＳＩＣ１１６は、例えば画像処理用のハード回路である。これらを含むプリンタ制御部１１０は、プリンタ１００の各ハードウェアを制御する。例えば、プリンタ制御部１１０は、記録部１３０に画像を記録させる記録処理を行う。プリンタ制御部１１０またはプリンタＣＰＵ１１２は記録装置制御部の一例であり、プリンタ記憶部１１４は記録装置記憶部の一例である。
【００１６】
図３は、スキャナ２００の構成を示す説明図である。スキャナ２００は、スキャナ制御部２１０と、読取部２３０と、スキャナ操作部２４０と、スキャナ表示部２５０と、スキャナ通信部２６０と、自動原稿搬送部（以下、「ＡＤＦ」という）２７０とを備える。スキャナ制御部２１０は、スキャナＣＰＵ２１２と、スキャナ記憶部２１４と、スキャナＡＳＩＣ２１６とを含む。
【００１７】
ＡＤＦ２７０は、搬送経路と、搬送経路内の原稿に搬送力を与える搬送ローラとを含み、モータにより搬送ローラを回転させることで、原稿を頁単位で順に読取部２３０に搬送する機構である。読取部２３０は、ＡＤＦ２７０から搬送された原稿を密着センサ方式や光学縮小方式で読み取るイメージセンサである。スキャナ操作部２４０は、例えば各種のボタン（図示せず）を有し、ユーザによる各種の入力指示を受け付ける。また、スキャナ操作部２４０は、スキャナ表示部２５０の表示面上に設けられたタッチパネルであってもよい。スキャナ表示部２５０は、例えば液晶ディスプレイを有し、各種の設定画面や装置の動作状態等を表示する。スキャナ通信部２６０は、他の機器との通信を行うハードウェアであり、例えば、無線ＬＡＮインタフェース等を含む。スキャナ通信部２６０は読取装置通信部の一例であり、ＡＤＦ２７０は原稿搬送部の一例である。
【００１８】
スキャナ記憶部２１４は、ＲＯＭやＲＡＭ等により構成され、各種のプログラムを記憶したり、各種のプログラムを実行する際の作業領域やデータの一時的な記憶領域として利用されたりする。また、スキャナ記憶部２１４も、プリンタ記憶部１１４が記憶している第２の識別情報を記憶している。スキャナＣＰＵ２１２は、スキャナ記憶部２１４から読み出したプログラムに従って所定の処理を実行する。スキャナＡＳＩＣ２１６は、例えば画像処理用のハード回路である。これらを含むスキャナ制御部２１０は、スキャナ２００の各ハードウェアを制御する。例えば、スキャナ制御部２１０は、読取部２３０から出力される読取信号に基づき画像データを生成する読取処理を実行する。スキャナ制御部２１０またはスキャナＣＰＵ２１２は読取装置制御部の一例であり、スキャナ記憶部２１４は読取装置記憶部の一例である。
【００１９】
Ａ−２．複写処理：
第１実施形態の複写システム１０は、複写処理を実行することができる。複写処理は、スキャナ２００が、原稿を読み取って原稿の画像を表す画像データを生成し、プリンタ１００が、生成された画像データを用いて紙等のシートに画像を記録することにより、原稿の複製を生成する処理である。
【００２０】
図４および図５は、第１実施形態における複写システム１０による複写処理の流れを示すフローチャートである。プリンタ１００が処理の実行指示を受け付けると、図４および図５に示す処理が開始される。なお、図４および図５に示す処理の開始前の状態では、プリンタ１００のプリンタ通信部１６０の設定は、ＷＬＡＮでの通信は可能であるが、ＷＦＤでの通信は不可能な設定となっている。そのため、この状態では、プリンタ１００が他の機器から無線ＬＡＮのアクセスポイントとして認識されることはない。
【００２１】
はじめに、プリンタ制御部１１０は、受け付けられた指示が、通常の記録処理の実行指示であるか、複写処理の実行指示であるかを判断する（Ｓ１０２）。通常の記録処理を所望するユーザが、プリンタ操作部１４０等を介して、通常の記録処理の実行指示をプリンタ１００に入力した場合には、入力された指示は通常の記録処理の実行指示であると判断され（Ｓ１０２：ＮＯ）、プリンタ制御部１１０は、記録部１３０に通常の記録処理を実行させ（Ｓ１０４）、その後に処理を終了する。
【００２２】
一方、複写処理を所望するユーザが、プリンタ操作部１４０等を介して、複写処理の実行指示をプリンタ１００に入力した場合には、入力された指示は複写処理の実行指示であると判断され（Ｓ１０２：ＹＥＳ）、プリンタ制御部１１０は、複写処理のための処理を開始する。具体的には、プリンタ制御部１１０は、プリンタ操作部１４０等を介して、複数の複写設定項目のそれぞれに対する設定を受け付ける（Ｓ１０６）。複写設定項目は、複写処理における設定項目であり、例えば、複写処理によって生成される原稿の複製の、主走査方向および／または副走査方向の記録解像度や、カラー記録およびモノクロ記録のいずれか、複写部数といった項目を含む。
【００２３】
また、プリンタ制御部１１０は、所定の生成アルゴリズムに従い任意の文字列を生成して、第１の識別情報としてプリンタ記憶部１１４に記憶させる識別情報記憶処理を実行する（Ｓ１０７）。第１の識別情報は、プリンタ１００が受信した画像データの送信元が、プリンタ１００によってＱＲコードが記録されたシートを対象とした読取処理を行った読取装置であるか否かを識別するための情報である。
【００２４】
次に、プリンタ制御部１１０は、プリンタ記憶部１１４に記憶されている通信情報と、上述した複写設定項目に対する設定を示す複写設定情報と、Ｓ１０７で生成した第１の識別情報および予めプリンタ記憶部１１４に記憶されている第２の識別情報とを示すテキストデータを生成し、生成したテキストデータをＱＲコードにコード化し（Ｓ１１０）、記録部１３０によってそのＱＲコードをシートに記録させるコード記録処理を実行する（Ｓ１１２）。なお、プリンタ制御部１１０は、上記テキストデータを生成する際、通信情報、複写設定情報、第１の識別情報、第２の識別情報のそれぞれを区別するための項目名を付与してもよい。また、項目名を付与せず、上記４つの情報が事前に定められた順番で含まれるようにテキストデータを生成してもよい。いずれにせよ、スキャナ制御部２１０は、プリンタ制御部１１０が生成したテキストデータから、上記４つの情報を区別できるように構成されている。以下、記録部１３０によってＱＲコードが記録されたシートを、コード記録シートＣＳという。図６には、ＱＲコード（ＱＣ）が記録されたコード記録シートＣＳの一例が示されている。ＱＲコードは二次元コードの一種であり、特定のコードの一例である。プリンタ記憶部１１４にはＱＲコードを生成するためのプログラムが記憶されており、プリンタＣＰＵ１１２がこのプログラムを実行すると、各情報を示すテキストデータがプログラムに従ってエンコードされることにより、ＱＲコードにコード化される。
【００２５】
また、通信情報は、プリンタ通信部１６０を特定する情報である。本実施形態では、通信情報は、プリンタ通信部１６０がＷＦＤで通信を行う際のＳＳＩＤと通信パスワードとを含む。
【００２６】
その後、プリンタ制御部１１０は、プリンタ通信部１６０を、上述した通信情報の内容に則ったＷＦＤ通信が可能な状態に設定する第１の通信設定処理を行う（Ｓ１１４）。第１の通信設定処理により、プリンタ１００が他の機器から無線ＬＡＮのアクセスポイントとして認識されるようになる。プリンタ制御部１１０は、他の機器からの接続要求が受信されたか否かを監視する（Ｓ１１６）。
【００２７】
一方、スキャナ２００のスキャナ制御部２１０は、スキャナ操作部２４０が読取指示を受け付けたか否かを監視しており（Ｓ２０２）、読取指示が受け付けられると（Ｓ２０２：ＹＥＳ）、原稿の第１頁の読取処理を行う（Ｓ２０４）。具体的には、スキャナ制御部２１０は、ＡＤＦ２７０にセットされた原稿（以下、「読取対象原稿ＲＤ」という）の第１頁をＡＤＦ２７０によって読取部２３０へと搬送させ、読取部２３０へと搬送された頁を読取部２３０によって読み取らせ、読取部２３０から出力された信号に対する各種処理（例えばＡ／Ｄ変換処理や画像処理）を行うことにより、読取対象原稿ＲＤの第１頁の画像データを生成する。
【００２８】
ここで、原稿（以下、「オリジナル原稿ＯＤ」という）を複写する複写処理を所望するユーザは、オリジナル原稿ＯＤの上に、プリンタ１００により生成された上述のコード記録シートＣＳを重ねて、ＡＤＦ２７０にセットする。すなわち、この場合には、ＡＤＦ２７０にセットされる読取対象原稿ＲＤは、オリジナル原稿ＯＤと、オリジナル原稿ＯＤの上に重ねられた１枚のコード記録シートＣＳとから構成される。図６には、オリジナル原稿ＯＤとコード記録シートＣＳとから構成された読取対象原稿ＲＤの一例が示されている。そのため、この場合には、Ｓ２０４の読取処理において、オリジナル原稿ＯＤではなく、コード記録シートＣＳが読み取られる。一方、一般的なオリジナル原稿ＯＤの読取（画像データ化）を所望するユーザは、オリジナル原稿ＯＤのみをＡＤＦ２７０にセットする。すなわち、この場合には、ＡＤＦ２７０にセットされる読取対象原稿ＲＤは、オリジナル原稿ＯＤと同一である。図７には、オリジナル原稿ＯＤのみから構成された読取対象原稿ＲＤの一例が示されている。そのため、この場合には、Ｓ２０４の読取処理において、オリジナル原稿ＯＤの第１頁が読み取られる。
【００２９】
次に、スキャナ制御部２１０は、Ｓ２０４の読取処理により生成された画像データを解析し、画像データにＱＲコードが含まれるか否かを判断するコード有無判断処理を実行する（Ｓ２０６）。スキャナ記憶部２１４には画像データからＱＲコードを認識するためのプログラムが記憶されており、スキャナＣＰＵ２１２がこのプログラムを実行することにより、画像データにＱＲコードが含まれるか否かの判断が実行される。
【００３０】
Ｓ２０４の読取処理により生成された画像データにＱＲコードが含まれないと判断された場合には（Ｓ２０６：ＮＯ）、スキャナ制御部２１０は、読取対象原稿ＲＤの残りの頁についての読取処理を行って画像データを生成し、読取対象原稿ＲＤのすべての頁の画像データを保存し（Ｓ２０８）、その後に処理を終了する。Ｓ２０４の読取処理により生成された画像データにＱＲコードが含まれない場合には、当該画像データの元となった原稿はコード記録シートＣＳではないため、オリジナル原稿ＯＤの複写ではなく一般的な画像データ化が要求されていると判断できる。そのため、スキャナ制御部２１０は、上述した一般的なオリジナル原稿ＯＤの画像データ化を行う。なお、この場合の画像データの保存先は、スキャナ記憶部２１４でもよいし、スキャナ２００に外部記憶媒体が接続されている場合（例えばスキャナ２００がＵＳＢインタフェース（図示しない）を備え、当該ＵＳＢインタフェースにＵＳＢメモリが接続されている場合）には、当該外部記憶媒体でもよい。
【００３１】
Ｓ２０４の読取処理により生成された画像データにＱＲコードが含まれると判断された場合には（Ｓ２０６：ＹＥＳ）、スキャナ制御部２１０は、ＱＲコードをデコードし（Ｓ２１０）、当該ＱＲコードが複写処理のために生成・記録されたＱＲコードであるか否か（すなわち、当該画像データの元となった原稿はコード記録シートＣＳであるか否か）を判断する識別情報判断処理を実行する（Ｓ２１２）。この判断は、ＱＲコードをデコードして得られたテキストデータに、スキャナ記憶部２１４に記憶されている第２の識別情報と同一の情報が含まれるか否かを判断することによって行われる。上述したように、コード記録シートＣＳに記録されたＱＲコードには、第２の識別情報が含まれる。そのため、ＱＲコードに第２の識別情報が含まれるか否かを判断することによって、当該ＱＲコードが複写処理のために生成・記録されたＱＲコードであるか否かを判断することができる。すなわち、第２の識別情報は、いわゆるマジックナンバーとして機能する。なお、スキャナ記憶部２１４にはＱＲコードをデコードするためのプログラムが記憶されており、スキャナＣＰＵ２１２がこのプログラムを実行することにより、ＱＲコードがデコードされる。
【００３２】
当該ＱＲコードは、複写処理のために生成・記録されたＱＲコードではないと判断された場合には（Ｓ２１２：ＮＯ）、スキャナ制御部２１０は、読取対象原稿ＲＤの残りの頁についての読取処理を行って画像データを生成し、読取対象原稿ＲＤのすべての頁の画像データを保存し（Ｓ２０８）、その後に処理を終了する。
【００３３】
一方、当該ＱＲコードは、複写処理のために生成・記録されたＱＲコードであると判断された場合には（Ｓ２１２：ＹＥＳ）、スキャナ制御部２１０は、ＱＲコードのデコードにより得られたテキストデータに含まれる通信情報と、複写設定情報と、第１の識別情報とを取得する情報取得処理と、取得された各情報をスキャナ記憶部２１４に記憶する情報記憶処理とを実行する（Ｓ２１４）。
【００３４】
次に、スキャナ制御部２１０は、スキャナ通信部２６０に、取得された通信情報により特定される通信先への接続要求を発行させる（Ｓ２１６）。上述したように、取得された通信情報には、プリンタ１００のプリンタ通信部１６０がＷＦＤで通信を行う際のＳＳＩＤと通信パスワードとが含まれる。スキャナ制御部２１０は、通信情報に基づき特定されるＳＳＩＤを指定した無線ＬＡＮ接続要求を発行させる。
【００３５】
上述したように、プリンタ１００のプリンタ制御部１１０は、コード記録シートＣＳの作成（Ｓ１１２）の後、プリンタ通信部１６０を通信情報の内容に則ったＷＦＤ通信が可能な状態に設定し（Ｓ１１４）、他の機器からの接続要求が受信されたか否かを監視している（Ｓ１１６）。プリンタ通信部１６０によってスキャナ２００等の他の機器からの接続要求が受信されると（Ｓ１１６：ＹＥＳ）、プリンタ制御部１１０は、接続要求の送信元の機器との間で、通信パスワードの受信を含む接続処理を実行する（Ｓ１１８）。スキャナ２００のスキャナ制御部２１０は、ＱＲコードから取得した通信情報に基づき通信パスワードを特定することができるため、通信パスワードの送信を含む接続処理を実行することによって（Ｓ２１８）、プリンタ１００との間での無線通信接続を確立させることができる。
【００３６】
スキャナ２００とプリンタ１００との間で無線通信接続が確立されると、スキャナ制御部２１０は、Ｓ２１４で取得した複写設定情報から、読取処理における設定値を決定する際に必要となる設定項目に対する設定を抽出する（Ｓ２１９）。上述したように、複写設定情報は、複写処理における複数の設定項目のそれぞれに対する設定を示す情報であり、例えば、複写処理によって生成される原稿の複製の、主走査方向および／または副走査方向の記録解像度や、カラー記録およびモノクロ記録のいずれか、複写部数といった情報を含む。本実施形態では、当該設定項目は、記録解像度と、カラー記録およびモノクロ記録のいずれかである。すなわち、読取処理における設定を決定する際に必要となる設定項目とは、複写処理における記録処理に用いられる画像データの条件を指定する項目である。そして、スキャナ制御部２１０は、抽出した設定項目に対する設定に基づき、読取部２３０によりオリジナル原稿ＯＤを読み取る際の読取設定を決定する（Ｓ２２０）。この際、スキャナ制御部２１０は、抽出した複写設定項目に対する設定を充足する読取設定の内、最も負荷が低い読取設定を決定する。例えば、スキャナ２００の読取部２３０の副走査方向の読取解像度が１２００ｄｐｉと６００ｄｐｉと３００ｄｐｉとのいずれかに設定可能である場合において、複写設定情報により、記録解像度が６００ｄｐｉに設定されていることが特定された場合には、スキャナ制御部２１０は、抽出した複写設定項目に対する設定を充足する読取設定である１２００ｄｐｉと６００ｄｐｉとの内、最も負荷が低い読取設定である６００ｄｐｉを選択する。また、スキャナ２００の読取部２３０がカラー読取およびモノクロ読取のいずれも実行可能である場合において、複写設定情報により、モノクロ記録を実行することが特定された場合には、スキャナ制御部２１０は、抽出した複写設定項目に対する設定を充足する読取設定であるモノクロ読取を選択する。
【００３７】
次に、スキャナ制御部２１０は、ＡＤＦ２７０にセットされた読取対象原稿ＲＤの内の残りの頁（すなわち、オリジナル原稿ＯＤ）の読取処理を行う（Ｓ２２２）。具体的には、スキャナ制御部２１０は、ＡＤＦ２７０にセットされたオリジナル原稿ＯＤをＡＤＦ２７０によって頁毎に読取部２３０へと搬送させ、読取部２３０へと搬送された頁を読取部２３０によって読み取らせ、読取部２３０から出力された信号に対する各種処理を行うことにより、オリジナル原稿ＯＤの画像データを生成する。このときの読取処理は、Ｓ２２０において決定された読取設定で実行される。
【００３８】
次に、スキャナ制御部２１０は、Ｓ２２２の読取処理により生成されたオリジナル原稿ＯＤの画像データを、第１の識別情報と共に、スキャナ通信部２６０を介してプリンタ通信部１６０に向けて送信する送信処理を実行する（Ｓ２２４）。なお、第１の識別情報は、例えば画像データのヘッダ領域等に格納することができる。その際、第１の識別情報であることを示す項目名と対にして格納することで、プリンタ制御部１１０は、任意の文字列である第１の識別情報を、第１の識別情報として認識することができる。Ｓ２２４の送信処理の後、スキャナ制御部２１０は、Ｓ２１４においてスキャナ記憶部２１４に記憶された通信情報を削除する通信情報削除処理を実行し（Ｓ２２６）、その後に処理を終了する。
【００３９】
プリンタ１００のプリンタ制御部１１０は、他の機器との間でＷＦＤでの無線通信接続が確立されると、他の機器から画像データが受信されたか否かを監視する（Ｓ１２０）。画像データが受信されると（Ｓ１２０：ＹＥＳ）、プリンタ制御部１１０は、画像データと共に第１の識別情報が受信され、かつ、受信された第１の識別情報がＳ１０７でプリンタ記憶部１１４に記憶された第１の識別情報と一致するか否かを判断する第１の合致判断処理を実行する（Ｓ１２２）。なお、第１識別情報は、例えば、画像データのヘッダ領域など、事前に決められた領域に格納されているので、プリンタ制御部１１０は、当該領域に第１識別情報であることを示す項目名と対になって、文字列が含まれている場合は、その文字列と、プリンタ記憶部１１４に記憶されている第１の識別情報とが一致するかによって、Ｓ１２２の判断を行うことができる。この第１の合致判断処理は、Ｓ１２０で受信された画像データの送信元が、プリンタ１００によってＱＲコードが記録されたシート（コード記録シートＣＳ）を対象とした読取処理を行った読取装置であるか否かを判断するための処理である。
【００４０】
第１の合致判断処理において、画像データと共に第１の識別情報が受信されなかった、あるいは、画像データと共に第１の識別情報が受信されたが第１の識別情報が一致しないと判断された場合には（Ｓ１２２：ＮＯ）、プリンタ制御部１１０は、画像データの送信元が、コード記録シートＣＳを対象とした読取処理を行った読取装置ではないと判断し、受信された画像データを破棄する（Ｓ１２４）。その後、プリンタ制御部１１０は、プリンタ通信部１６０をＷＦＤ通信が可能な状態に設定する第１の通信設定処理（Ｓ１１４）の完了から所定時間が経過したか否かを判断し（Ｓ１２６）、まだ所定時間が経過していないと判断された場合には（Ｓ１２６：ＮＯ）、画像データが受信されたか否かの監視（Ｓ１２０）に戻る。
【００４１】
第１の合致判断処理において、画像データと共に第１の識別情報が受信され、かつ、第１の識別情報が一致すると判断された場合には（Ｓ１２２：ＹＥＳ）、プリンタ制御部１１０は、画像データの送信元が、コード記録シートＣＳを対象とした読取処理を行った読取装置であると判断し、受信された画像データ（すなわち、オリジナル原稿ＯＤの画像データ）を用いて記録部１３０に画像を記録させる画像記録処理を実行する（Ｓ１４０）。これにより、オリジナル原稿ＯＤの複写が実現される。
【００４２】
なお、本実施形態では、この画像記録処理の際の記録部１３０の設定は、Ｓ１０６において受け付けた複写設定とされる。そのため、プリンタ制御部１１０は、当該複写設定を示す複写設定情報を第１の識別情報に対応付けてプリンタ記憶部１１４に記憶させ、画像記録処理の際に、スキャナ２００から受信された第１の識別情報に対応付けられた複写設定情報を読み出して記録部１３０の設定を行う。あるいは、スキャナ制御部２１０が、ＱＲコードから取得した複写設定情報を画像データと共に送信するものとし、プリンタ制御部１１０は、スキャナ２００から送られた複写設定情報に従って記録部１３０の設定を行うとしてもよい。
【００４３】
その後、プリンタ制御部１１０は、プリンタ通信部１６０を、通信情報に含まれるＳＳＩＤでのＷＦＤ通信が不可能な状態に設定する第２の通信設定処理を行う（Ｓ１４２）。第２の通信設定処理により、プリンタ１００が他の機器から無線ＬＡＮのアクセスポイントとして認識されることがなくなる。また、プリンタ制御部１１０は、Ｓ１０７においてプリンタ記憶部１１４に記憶された第１の識別情報を削除する識別情報削除処理を行う（Ｓ１４４）。
【００４４】
また、Ｓ１２６において所定時間が経過したと判断された場合（Ｓ１２６：ＹＥＳ）、すなわち、プリンタ記憶部１１４に記憶された第１の識別情報と一致する第１の識別情報が受信されることなく所定時間が経過した場合にも、プリンタ制御部１１０は、プリンタ通信部１６０を、通信情報に含まれるＳＳＩＤでのＷＦＤ通信が不可能な状態に設定する第２の通信設定処理を行うと共に（Ｓ１４２）、プリンタ記憶部１１４に記憶された第１の識別情報を削除する識別情報削除処理を行う（Ｓ１４４）。
【００４５】
以上説明したように、本実施形態の複写システム１０によれば、オリジナル原稿ＯＤの複製を生成する複写処理を実現することができる。複写処理の際には、プリンタ制御部１１０は、プリンタ通信部１６０を特定する通信情報を示すＱＲコードを記録部１３０に記録させる記録処理を実行する。また、スキャナ制御部２１０は、読取部２３０に読取対象原稿ＲＤを読み取らせて画像データを生成する読取処理と、読取処理において生成された画像データを解析して、画像データにＱＲコードが含まれるか否かを判断するコード有無判断処理とを実行し、コード有無判断処理において読取対象原稿ＲＤにＱＲコードが含まれると判断された場合に、ＱＲコードが示す通信情報を取得する情報取得処理を実行する。また、スキャナ制御部２１０は、読取対象原稿ＲＤの内、ＱＲコードが含まれる頁（コード記録シートＣＳ）より後に読み取られた頁（オリジナル原稿ＯＤ）について、読取処理において生成された画像データを、通信情報により特定される通信先へスキャナ通信部２６０を介して送信する送信処理を実行する。プリンタ制御部１１０は、スキャナ２００から送信された画像データをプリンタ通信部１６０を介して受信する受信処理と、受信された画像データを用いて記録部１３０に画像を記録させる画像記録処理とを実行する。そのため、本実施形態の複写システム１０によれば、ユーザがスキャナ２００に対して画像データの送信先を設定するための煩雑な操作を行わなくても、プリンタ１００により生成されたコード記録シートＣＳをスキャナ２００に読み取らせるだけで、スキャナ２００からプリンタ１００への画像データの送信が実現され、これにより、オリジナル原稿ＯＤの複写処理が実現される。そのため、本実施形態の複写システム１０によれば、オリジナル原稿ＯＤの複写の際のユーザの使い勝手を向上させることができる。
【００４６】
また、本実施形態の複写システム１０による複写処理の際には、プリンタ制御部１１０は、第１の識別情報をプリンタ記憶部１１４に記憶させる識別情報記憶処理を実行すると共に、上記コード記録処理において、通信情報に加えて第１の識別情報を示すＱＲコードを記録させる。また、スキャナ制御部２１０は、上記情報取得処理において、通信情報に加えて第１の識別情報を取得し、上記送信処理において、画像データに加えて第１の識別情報を送信する。プリンタ制御部１１０は、上記受信処理において、画像データに加えて第１の識別情報を受信し、受信された第１の識別情報とプリンタ記憶部１１４に記憶された第１の識別情報とが一致するか否かを判断する第１の合致判断処理を実行し、第１の合致判断処理において各第１の識別情報が一致すると判断された場合に、上記画像記録処理を実行する。そのため、本実施形態の複写システム１０によれば、第１の合致判断処理により、プリンタ１００が受信した画像データの送信元が、プリンタ１００によって生成されたコード記録シートＣＳの読取処理を行ったスキャナ２００であるか否かが判断されるため、スキャナ２００により読み取られたオリジナル原稿ＯＤの複写処理を実現しつつ、意図しない機器から送信された画像データを用いた記録処理が実行されることを抑制することができる。
【００４７】
また、本実施形態の複写システム１０による複写処理の際には、プリンタ制御部１１０は、上記第１の合致判断処理において各第１の識別情報が一致すると判断された場合に、プリンタ記憶部１１４から第１の識別情報を削除する識別情報削除処理を実行する。そのため、本実施形態の複写システム１０によれば、第１の合致判断処理において各第１の識別情報が一致すると判断された後に、再度、スキャナ２００によって同じ第１の識別情報を送信する送信処理が実行されても、次の第１の合致判断処理において各第１の識別情報が一致すると判断されることが回避されるため、スキャナ２００により読み取られたオリジナル原稿ＯＤの複写処理を実現しつつ、意図しない読取処理により生成された画像データを用いた記録処理が実行されることを抑制することができる。
【００４８】
また、本実施形態の複写システム１０による複写処理の際には、プリンタ制御部１１０は、上記コード記録処理において、プリンタ通信部１６０におけるＷＦＤの通信方式に関する通信情報を示すＱＲコードを記録部１３０に記録させ、プリンタ通信部１６０をＷＦＤの通信方式の通信情報に沿った通信が可能な状態に設定する第１の通信設定処理を実行する。また、プリンタ制御部１１０は、上記第１の合致判断処理において各第１の識別情報が一致すると判断された場合に、プリンタ通信部１６０をＷＦＤの通信方式の通信情報に沿った通信が不可能な状態に設定する第２の通信設定処理を実行する。そのため、本実施形態の複写システム１０によれば、プリンタ通信部１６０は、第１の通信設定処理の完了から第２の通信設定処理の完了までの期間は、一時的に、ＷＦＤの通信方式の通信情報に沿った通信が可能な状態となり、それ以外の期間は当該通信が不可能な状態となる。従って、第１の合致判断処理において各第１の識別情報が一致すると判断された後に、再度、スキャナ２００によって画像データの送信処理が実行されようとしても、無線通信接続が確立されないため、スキャナ２００により読み取られたオリジナル原稿ＯＤの複写処理を実現しつつ、意図しない読取処理により生成された画像データを用いた記録処理が実行されることを抑制することができる。
【００４９】
また、本実施形態の複写システム１０による複写処理の際には、プリンタ制御部１１０は、上記第１の通信設定処理の完了から所定時間が経過した場合にも、上記第２の通信設定処理を実行する。そのため、本実施形態の複写システム１０によれば、スキャナ２００により読み取られたオリジナル原稿ＯＤの複写処理を実現しつつ、意図しない機器とプリンタ１００との間で無線通信接続が確立されることを抑制することができる。
【００５０】
また、本実施形態の複写システム１０による複写処理の際には、スキャナ制御部２１０は、ＱＲコードから取得された通信情報をスキャナ記憶部２１４に記憶させる通信情報記憶処理を実行し、プリンタ１００に画像データを送信する上記送信処理の後に、スキャナ記憶部２１４から通信情報を削除する通信情報削除処理を実行する。そのため、本実施形態の複写システム１０によれば、スキャナ２００による送信処理が実行された後に再度、スキャナ２００による送信処理が実行されようとしても、通信情報が削除されているために送信先が特定できないため、スキャナ２００により読み取られたオリジナル原稿ＯＤの複写処理を実現しつつ、意図しない読取処理により生成された画像データを用いた記録処理が実行されることを抑制することができる。
【００５１】
また、本実施形態の複写システム１０による複写処理の際には、プリンタ制御部１１０は、上記コード記録処理において、通信情報に加えて第２の識別情報を示すＱＲコードを記録させる。また、スキャナ制御部２１０は、上記コード有無判断処理において読取対象原稿ＲＤにＱＲコードが含まれると判断された場合に、ＱＲコードに第２の識別情報が含まれるか否かを判断する識別情報判断処理を実行し、ＱＲコードに第２の識別情報が含まれると判断された場合に、上記情報取得処理を実行する。そのため、本実施形態の複写システム１０によれば、たまたま読取対象原稿ＲＤに複写処理用のＱＲコード以外のＱＲコードが含まれていた場合に、誤って複写処理が実行されることを抑制することができる。
【００５２】
また、本実施形態の複写システム１０による複写処理の際には、プリンタ制御部１１０は、上記コード記録処理において、通信情報に加えて、スキャナ２００とプリンタ１００とにおいて実行される複写処理に係る設定を示す複写設定情報を示すＱＲコードを記録させる。また、スキャナ制御部２１０は、上記情報取得処理において、通信情報に加えて複写設定情報を取得し、上記読取処理において、複写設定情報を充足する読取設定で、読取部２３０にオリジナル原稿ＯＤを読み取らせる。そのため、本実施形態の複写システム１０によれば、複写処理に係る設定を充足しない読取設定で読取処理が行われることを抑制することができ、複写処理により生成されるオリジナル原稿ＯＤの複製の質を確保しつつ、処理負荷が増大することを抑制することができる。
【００５３】
また、本実施形態の複写システム１０による複写処理の際には、スキャナ制御部２１０は、読取対象原稿ＲＤの内の最初に読取部２３０に搬送される頁を対象に、ＱＲコードが含まれるか否かを判断する上記コード有無判断処理を行い、読取対象原稿ＲＤのその他の頁については上記コード有無判断処理を行わない。そのため、本実施形態の複写システム１０によれば、不要なコード有無判断処理が実行されることを抑制することができ、処理負荷が増大することを抑制することができる。
【００５４】
また、本実施形態の複写システム１０による複写処理の際には、スキャナ２００とプリンタ１００との間の画像データ等の送受信は、無線通信を介して実行される。そのため、本実施形態の複写システム１０によれば、スキャナ２００とプリンタ１００との間を通信配線で接続することなく、複写処理を実現することができる。
【００５５】
また、本実施形態の複写システム１０による複写処理の際には、スキャナ２００とプリンタ１００との間の画像データ等の送受信は、ＷＦＤの無線通信を介して実行され、通信情報はＷＦＤの無線通信におけるＳＳＩＤを含む。そのため、本実施形態の複写システム１０によれば、スキャナ２００とプリンタ１００との間の無線通信を中継できる無線ＬＡＮアクセスポイント３０が存在しない状況においても、スキャナ２００とプリンタ１００との間を無線通信回線で接続することができ、複写処理を実現することができる。
【００５６】
なお、上述したように、プリンタ通信部１６０は、第１の通信設定処理の完了から第２の通信設定処理の完了までの期間は、一時的に、ＷＦＤの通信方式の通信情報に沿った通信が可能な状態となり、それ以外の期間は当該通信が不可能な状態となる。一方、プリンタ通信部１６０におけるＷＬＡＮでの通信の可否については、ユーザの操作に従い切り替わる。図８は、プリンタ通信部１６０におけるＷＬＡＮ通信の可否切り替え処理の流れを示すフローチャートである。プリンタ制御部１１０は、プリンタ操作部１４０を介してＷＬＡＮの設定の指示が入力されたか否かを判断し（Ｓ３０２）、指示が入力されたと判断された場合に（Ｓ３０２：ＹＥＳ）、入力された指示の内容を判断し（Ｓ３０３）、ＷＬＡＮ通信を可能にする指示であれば、プリンタ通信部１６０をＷＬＡＮでの通信が可能な状態に設定し（Ｓ３０６）、ＷＬＡＮ通信を不可能にする指示であれば、プリンタ通信部１６０をＷＬＡＮでの通信が不可能な状態に設定する（Ｓ３０８）。ＷＬＡＮは、第２の通信方式の一例であり、プリンタ通信部１６０におけるＷＬＡＮでの通信可否の設定処理（Ｓ３０６，Ｓ３０８）は、第３の通信設定処理の一例である。
【００５７】
Ｂ．第２実施形態：
図９および図１０は、第２実施形態における複写システム１０による複写処理の流れを示すフローチャートである。第２実施形態の複写処理は、プリンタ１００のプリンタ操作部１４０に対してパスワードが入力された後に記録処理が開始される、いわゆるセキュア記録が行われる点、および、プリンタ制御部１１０がプリンタ操作部１４０において受け付けた複写設定情報のうち、スキャナ２００が読取設定を決定する際に必要となる設定項目に対する設定を示す設定情報を抽出し、ＱＲコードに含ませる点が、上述した第１実施形態の複写処理と異なっている。セキュア記録が行われることにより、複写処理を指示したユーザ以外の者が、プリンタ１００により生成された複製を無断で持ち去ることを抑制することができ、情報セキュリティ性を向上させることができる。第２実施形態の複写処理におけるその他の各処理内容は、上述した第１実施形態の複写処理と同様であるため、各処理に同一の符号を付すことによってその説明を省略する。
【００５８】
第２実施形態の複写処理では、図９に示すように、プリンタ制御部１１０は、第１および第２の識別情報をプリンタ記憶部１１４に記憶させる識別情報記憶処理（Ｓ１０７）に加えて、第３の識別情報とパスワードとを設定し、これらを対応付けてプリンタ記憶部１１４に記憶させるパスワード記憶処理を実行する（Ｓ１０８）。第３の識別情報は、所定の生成アルゴリズムに従い生成される任意の文字列である。プリンタ制御部１１０は、Ｓ１０６で受け付けた複写設定項目に対する設定のうち、読取処理における設定値を決定する際に必要となる設定項目に対する設定を抽出する（Ｓ１０９）。また、プリンタ制御部１１０は、コード化処理（Ｓ１１０ａ）の際に、通信情報と、抽出した設定項目に対する設定である、抽出複写設定情報と、第１および第２の識別情報とに加えて、第３の識別情報をＱＲコードにコード化する。また、プリンタ制御部１１０は、コード記録処理（Ｓ１１２ａ）の際に、シートにＱＲコードを記録させると共に、上述のパスワードをユーザが識別可能な態様で記録させる。図１１に、このようにして生成されたコード記録シートＣＳの一例が示されている。図１１に示すように、コード記録シートＣＳには、ＱＲコード（ＱＣ）と共にパスワード（ＰＷ）が記録される。パスワードは、コード化されておらず、文字や記号により構成されているため、ユーザはパスワードを識別することができる。
【００５９】
また、図９に示すように、スキャナ制御部２１０は、ＱＲコードから情報を取得する情報取得処理（Ｓ２１４ａ）において、通信情報と、複写設定情報と、第１の識別情報とに加えて、第３の識別情報を取得する。なお、ユーザは、コード記録シートＣＳを見てパスワードを認識する。また、図１０に示すように、スキャナ制御部２１０は、プリンタ通信部１６０に向けてデータを送信する送信処理（Ｓ２２４ａ）において、画像データと第１の識別情報とに加えて、第３の識別情報を送信する。
【００６０】
また、プリンタ制御部１１０は、画像データと共に受信された第１の識別情報がプリンタ記憶部１１４に記憶された第１の識別情報と一致するか否かを判断する第１の合致判断処理（Ｓ１２２ａ）において、画像データと共に受信された第３の識別情報がプリンタ記憶部１１４に記憶された第３の識別情報と一致するか否かを判断する第２の合致判断処理も合わせて実行する。各第１の識別情報が一致し、かつ、各第３の識別情報が一致すると判断された場合に（Ｓ１２２ａ：ＹＥＳ）、プリンタ制御部１１０は、第３の識別情報に対応付けられたパスワードをプリンタ記憶部１１４から読み出し（Ｓ１３４）、読み出されたパスワードと対応付けて画像データをプリンタ記憶部１１４に保存する（Ｓ１３６）。
【００６１】
その後、プリンタ制御部１１０は、プリンタ操作部１４０にパスワードが入力されたか否かを監視するパスワード判断処理を実行する（Ｓ１３８）。プリンタ操作部１４０にパスワードが入力されると（Ｓ１３８：ＹＥＳ）、プリンタ制御部１１０は、入力されたパスワードに対応付けて保存された画像データを用いて、画像の記録処理を実行する（Ｓ１４０）。これにより、オリジナル原稿ＯＤの複写が実現される。
【００６２】
以上説明した第２実施形態の複写処理によれば、上述した第１実施形態の複写処理と同様の効果を奏するのに加えて、いわゆるセキュア記録を実現することができ、複写処理の際の情報セキュリティ性を向上させることができる。
【００６３】
Ｃ．変形例：
本明細書で開示される技術は、上述の実施形態に限られるものではなく、その要旨を逸脱しない範囲において種々の形態に変形することができ、例えば次のような変形も可能である。
【００６４】
上記実施形態における複写システム１０の構成は、あくまで一例であり、種々変形可能である。例えば、上記実施形態では、プリンタ１００は有線ＬＡＮやＷＬＡＮで他の機器と通信可能であるとしているが、必ずしもそのような通信が可能である必要は無い。また、上記実施形態におけるプリンタ１００やスキャナ２００の構成は、あくまで一例であり、種々変形可能である。
【００６５】
また、上記実施形態では、プリンタ１００のプリンタ通信部１６０は、平常時の通信をＷＬＡＮの通信方式および有線ＬＡＮ通信方式で行い、複写処理のための一時的な通信をＷＦＤの通信方式で行うとしているが、このような形態に限られない。例えば、プリンタ通信部１６０は、平常時の通信をＷＬＡＮ以外の通信方式（有線ＬＡＮやＷＦＤ等）で行ってもよく、複写処理のための一時的な通信をＷＦＤ以外の通信方式（ＷＬＡＮや有線ＬＡＮ等）で行ってもよい。また、プリンタ通信部１６０は、平常時の通信と複写処理のための一時的な通信とを同じ通信方式で行ってもよい。例えば、プリンタ通信部１６０は、平常時の通信と複写処理のための一時的な通信とを、共にＷＦＤの通信方式で行ったり、共にＷＬＡＮの通信方式で行ったりしてもよい。これらの場合に、平常時の通信と複写処理のための一時的な通信とを、使用するＷＦＤのＳＳＩＤを異ならせることや、ＷＬＡＮでの通信時のデバイス名を異ならせることによって識別するとしてもよい。また、プリンタ通信部１６０による複写処理のための通信は、必ずしも一時的な通信である必要は無く、平常時の通信を利用してもよい。また、プリンタ通信部１６０は、複写処理のための一時的な通信のみを実行可能であるとしてもよい。
【００６６】
また、上記実施形態では、スキャナ制御部２１０が画像データに含まれるＱＲコードが複写処理のために生成・記録されたＱＲコードであるか否かを識別するために、第２の識別情報が用いられているが、このような形態に限られない。例えば、スキャナ制御部２１０が、ＱＲコードに含まれる情報が特定の形式に合致するか否かを判断することによって、当該ＱＲコードが複写処理のために生成・記録されたＱＲコードであるか否かを識別するとしてもよい。このような形態は、例えば、ＱＲコードにおいて、各情報（通信情報や第１の識別情報）の先頭に、各情報を識別する情報（例えば各情報の名称の文字列）を配置し、ＱＲコードを解析する際に、まず各情報を識別する情報の有無をチェックし、各情報を識別する情報がすべて存在すれば、ＱＲコードは特定の形式に合致すると判断することにより実現可能である。なお、この場合には、プリンタ１００において、ＱＲコードに第２の識別情報を含ませる必要は無い。
【００６７】
また、上記実施形態では、プリンタ１００において、ＱＲコードに第１の識別情報や複写設定情報を含ませるとしているが、ＱＲコードには少なくとも通信情報を含ませればよく、必ずしもＱＲコードに第１の識別情報や複写設定情報を含ませる必要は無い。また、上記実施形態では、特定のコードとしてＱＲコードが利用されているが、ＱＲコード以外の二次元コードやバーコード等の他のコードが利用されるとしてもよい。また、上記第２実施形態において、第１の識別情報と第３の識別情報とを共用するとしてもよい。
【００６８】
また、上記実施形態では、読取対象原稿ＲＤの第１頁のみを対象としてコード有無判断処理が実行されるとしているが、それ以外の頁についてコード有無判断処理の対象としてもよい。この場合に、ある頁を対象としたコード有無判断処理において複写処理用のＱＲコードが含まれると判断された場合には、読取対象原稿ＲＤの内、当該頁より後に読み取られた頁についてはコード有無判断処理の対象としないとしてもよい。
【００６９】
また、上記実施形態では、スキャナ制御部２１０は、読取部２３０によりオリジナル原稿ＯＤを読み取る際の読取設定として、複写設定情報により特定される記録部１３０による記録処理における設定を充足する読取設定の内、最も負荷が低い読取設定を選択するとしているが、このような形態に限られない。例えば、スキャナ制御部２１０は、複写設定情報により特定される記録部１３０による記録処理における設定を充足する読取設定から、任意の読取設定を選択するとしてもよい。また、スキャナ制御部２１０は、例えばデフォルトの読取設定を選択する等、複写設定情報に基づかずに読取設定を決定するとしてもよい。
【００７０】
また、上記実施形態では、Ｓ１０６において、プリンタ制御部１１０は、プリンタ操作部１４０等を介して複数の複写設定項目のそれぞれに対する設定を受け付けるとしているが、Ｓ１０６において、プリンタ制御部１１０は、プリンタ記憶部１１４に記憶された複数の複写設定項目のそれぞれに対するデフォルト設定を取得するとしてもよい。
【００７１】
また、上記実施形態の複写処理では、読取対象原稿ＲＤは、コード記録シートＣＳと、複写処理の対象のオリジナル原稿ＯＤとから構成されるとしているが、読取対象原稿ＲＤに、オリジナル原稿ＯＤ以外の他の原稿（頁）が含まれるとしてもよい。また、上記実施形態の複写処理において、一部のステップを省略したり、他のステップと順番を入れ替えたりしてもよい。
【符号の説明】
【００７２】
１０：複写システム  ３０：無線ＬＡＮアクセスポイント  １００：プリンタ  １１０：プリンタ制御部  １１２：プリンタＣＰＵ  １１４：プリンタ記憶部  １１６：プリンタＡＳＩＣ  １３０：記録部  １４０：プリンタ操作部  １５０：プリンタ表示部  １６０：プリンタ通信部  ２００：スキャナ  ２１０：スキャナ制御部  ２１２：スキャナＣＰＵ  ２１４：スキャナ記憶部  ２１６：スキャナＡＳＩＣ  ２３０：読取部  ２４０：スキャナ操作部  ２５０：スキャナ表示部  ２６０：スキャナ通信部  ２７０：自動原稿搬送部
【図１】
0006394465.tif 000002
【図２】
0006394465.tif 000003
【図３】
0006394465.tif 000004
【図４】
0006394465.tif 000005
【図５】
0006394465.tif 000006
【図６】
0006394465.tif 000007
【図７】
0006394465.tif 000008
【図８】
0006394465.tif 000009
【図９】
0006394465.tif 000010
【図１０】
0006394465.tif 000011
【図１１】
0006394465.tif 000012